(57)【特許請求の範囲】
【請求項１】
無線通信システムにおいて、端末が上りリンク信号を送信する方法であって、
所定のリソース単位でプリコーダ循環パターンが適用された複数のプリコード(ｐｒｅｃｏｄｅｄ)参照信号を基地局に送信する段階と、
前記複数のプリコード参照信号のうちの１つを指示する情報を前記基地局から受信する段階と、
前記指示されたプリコード参照信号に適用されたプリコーダ循環パターンに基づいて、上りリンクデータ信号及び上りリンク復調参照信号を前記基地局に送信する段階を含み、
前記複数のプリコード参照信号に適用されたプリコーダ循環パターンは、前記複数のプリコード参照信号の各々のための第１プリコーダと、前記複数のプリコード参照信号に共通に適用され、前記所定のリソース単位で循環適用される第２プリコーダとの結合として定義され、
前記複数のプリコード参照信号の各々のための第１プリコーダは、前記基地局から受信した下りリンク参照信号に基づいて決定される、上りリンク信号の送信方法。
【請求項２】
前記複数のプリコード参照信号に適用された前記プリコーダ循環パターンは、水平方向ドメインにおいて、互いに異なる方向にプリコード参照信号をプリコードし、全ての水平方向をカバーするように定義される、請求項１に記載の上りリンク信号の送信方法。
【請求項３】
前記基地局から前記所定のリソース単位に関する情報を受信する段階をさらに含む、請求項１に記載の上りリンク信号の送信方法。
【請求項４】
無線通信システムにおける端末であって、
無線通信モジュールと、
前記無線通信モジュールに連結され、所定のリソース単位でプリコーダ循環パターンが適用された複数のプリコード(ｐｒｅｃｏｄｅｄ)参照信号を基地局に送信し、前記基地局から前記複数のプリコード参照信号のうちの１つを指示する情報を受信し、前記指示されたプリコード参照信号に適用されたプリコーダ循環パターンに基づいて、前記基地局に上りリンクデータ信号及び上りリンク復調参照信号を送信するプロセッサを含み、
前記複数のプリコード参照信号に適用されたプリコーダ循環パターンは、前記複数のプリコード参照信号の各々のための第１プリコーダと、前記複数のプリコード参照信号に共通に適用され、前記所定のリソース単位で循環適用される第２プリコーダとの結合として定義され、
前記複数のプリコード参照信号の各々のための第１プリコーダは、前記基地局から受信した下りリンク参照信号に基づいて決定される、端末。
【請求項５】
前記複数のプリコード参照信号に適用された前記プリコーダ循環パターンは、水平方向ドメインにおいて、互いに異なる方向にプリコード参照信号をプリコードし、全ての水平方向をカバーするように定義される、請求項４に記載の端末。
【請求項６】
前記プロセッサは、前記基地局から前記所定のリソース単位に関する情報を受信するようにさらに構成される、請求項４に記載の端末。
【発明の詳細な説明】
【技術分野】
【０００１】
本発明は無線通信システムに関し、より詳しくは、無線通信システムにおいてリソースバンドルに基づくプリコーダの適用方法及びそのための装置に関する。
【背景技術】
【０００２】
本発明を適用できる無線通信システムの一例として、３ＧＰＰ ＬＴＥ(３ｒｄ Ｇｅｎｅｒａｔｉｏｎ Ｐａｒｔｎｅｒｓｈｉｐ Ｐｒｏｊｅｃｔ Ｌｏｎｇ Ｔｅｒｍ Ｅｖｏｌｕｔｉｏｎ；以下、「ＬＴＥ」という)通信システムについて概略的に説明する。
【０００３】
図１は、無線通信システムの一例としてＥ−ＵＭＴＳネットワーク構造を示す概略図である。Ｅ−ＵＭＴＳ(Ｅｖｏｌｖｅｄ Ｕｎｉｖｅｒｓａｌ Ｍｏｂｉｌｅ Ｔｅｌｅｃｏｍｍｕｎｉｃａｔｉｏｎｓ Ｓｙｓｔｅｍ)は、既存のＵＭＴＳ(Ｕｎｉｖｅｒｓａｌ Ｍｏｂｉｌｅ Ｔｅｌｅｃｏｍｍｕｎｉｃａｔｉｏｎｓ Ｓｙｓｔｅｍ)から進展したシステムであり、現在３ＧＰＰで基礎的な標準化作業が進行中である。一般に、Ｅ−ＵＭＴＳをＬＴＥ(Ｌｏｎｇ Ｔｅｒｍ Ｅｖｏｌｕｔｉｏｎ)システムとも言える。ＵＭＴＳ及びＥ−ＵＭＴＳの技術規格(ｔｅｃｈｎｉｃａｌ ｓｐｅｃｉｆｉｃａｔｉｏｎ)の詳細な内容については、それぞれ「３ｒｄ Ｇｅｎｅｒａｔｉｏｎ Ｐａｒｔｎｅｒｓｈｉｐ Ｐｒｏｊｅｃｔ；Ｔｅｃｈｎｉｃａｌ Ｓｐｅｃｉｆｉｃａｔｉｏｎ Ｇｒｏｕｐ Ｒａｄｉｏ Ａｃｃｅｓｓ Ｎｅｔｗｏｒｋ」のＲｅｌｅａｓｅ７及びＲｅｌｅａｓｅ８を参照できる。
【０００４】
図１を参照すると、Ｅ−ＵＭＴＳは、端末(Ｕｓｅｒ Ｅｑｕｉｐｍｅｎｔ；ＵＥ)、基地局(ｅＮｏｄｅＢ；ｅＮＢ)、及びネットワーク(Ｅ−ＵＴＲＡＮ)の終端に位置して、外部ネットワークに接続するアクセスゲートウェイ(Ａｃｃｅｓｓ Ｇａｔｅｗａｙ；ＡＧ)を含む。基地局は、ブロードキャストサービス、マルチキャストサービス及び／又はユニキャストサービスのために多重データストリームを同時に送信することができる。
【０００５】
一つの基地局には一つ以上のセルが存在する。セルは、１．２５、２．５、５、１０、１５、２０ＭＨｚなどの帯域幅のいずれか一つに設定され、複数の端末に下り又は上り送信サービスを提供する。互いに異なるセルは、互いに異なる帯域幅を提供するように設定される。基地局は、複数の端末に対するデータ送受信を制御する。下りリンク(Ｄｏｗｎｌｉｎｋ；ＤＬ)データに対して、基地局は下りリンクスケジューリング情報を送信し、該当端末にデータが送信される時間／周波数領域、符号化、データサイズ、ＨＡＲＱ(Ｈｙｂｒｉｄ Ａｕｔｏｍａｔｉｃ Ｒｅｐｅａｔ ａｎｄ ｒｅＱｕｅｓｔ)関連情報などを知らせる。また、上りリンク(Ｕｐｌｉｎｋ；ＵＬ)データに対して、基地局は上りリンクスケジューリング情報を該当端末に送信し、該当端末が使用可能な時間／周波数領域、符号化、データサイズ、ＨＡＲＱ関連情報などを知らせる。基地局同士の間には、ユーザトラフィック又は制御トラフィックの送信のためのインターフェースを用いることができる。コアネットワーク(Ｃｏｒｅ Ｎｅｔｗｏｒｋ；ＣＮ)は、ＡＧ、及び端末のユーザ登録などのためのネットワークノードなどで構成可能である。ＡＧは、複数のセルで構成されるＴＡ(Ｔｒａｃｋｉｎｇ Ａｒｅａ)単位に端末の移動性を管理する。
【０００６】
無線通信技術は、ＷＣＤＭＡに基づいてＬＴＥにまで開発されてきたが、ユーザと事業者の要求と期待は増す一方である。その上、他の無線接続技術の開発が続いており、将来、競争力を持つためには新しい技術進化が要求される。ビット当たりのコストの削減、サービス可用性の増大、柔軟な周波数バンドの使用、単純構造と開放型インターフェース、端末の適度な電力消耗などが要求される。
【発明の概要】
【発明が解決しようとする課題】
【０００７】
以上からして、以下では、無線通信システムにおいてリソースバンドルに基づくプリコーダの適用方法及びそのための装置を提案する。
【０００８】
本発明で達成しようとする技術的課題は前記技術的課題に制限されず、言及しなかった他の技術的課題は下記の記載から本発明が属する技術分野で通常の知識を有する者に明らかに理解可能であろう。
【課題を解決するための手段】
【０００９】
本発明の一態様による無線通信システムにおいて、端末が上りリンク信号を送信する方法は、所定のリソース単位でプリコーダ循環パターンが適用された複数のプリコード(ｐｒｅｃｏｄｅｄ)参照信号を基地局に送信する段階と、基地局から複数のプリコード参照信号のうちの１つを指示する情報を受信する段階と、指示されたプリコード参照信号に適用されたプリコーダ循環パターンを用いて、基地局に上りリンクデータ信号及び上りリンク復調参照信号を送信する段階を含むことを特徴とする。
【００１０】
また本発明の一態様による無線通信システムにおける端末は、無線通信モジュールと、無線通信モジュールに連結され、所定のリソース単位でプリコーダ循環パターンが適用された複数のプリコード(ｐｒｅｃｏｄｅｄ)参照信号を基地局に送信し、基地局から複数のプリコード参照信号のうちの１つを指示する情報を受信し、指示されたプリコード参照信号に適用されたプリコーダ循環パターンを用いて、基地局に上りリンクデータ信号及び上りリンク復調参照信号を送信するプロセッサを含むことを特徴とする。
【００１１】
好ましくは、複数のプリコード参照信号に適用されたプリコーダ循環パターンは、複数のプリコード参照信号の各々のための第１プリコーダと、複数のプリコード参照信号に共通に適用され、所定のリソース単位で循環適用される第２プリコーダとの結合によって定義されることを特徴とする。
【００１２】
より好ましくは、端末は基地局から受信した下りリンク参照信号を用いて、複数のプリコード参照信号の各々のための第１プリコーダを決定することを特徴とする。
【００１３】
さらに、複数のプリコード参照信号に適用されたプリコーダ循環パターンは、水平方向ドメインにおいて、互いに異なる方向にプリコード参照信号をプリコードし、全ての水平方向をカバーするように定義されることを特徴とする。
【００１４】
また端末は基地局から所定のリソース単位に関する情報を予め受信することができる。
【発明の効果】
【００１５】
本発明の実施例によれば、無線通信システムにおいて、特に上りリンク参照信号の送信において、リソースバンドルに基づくプリコーダを効率的に適用することができる。
【００１６】
本発明で得られる効果は以上で言及した効果に制限されず、言及しなかった他の効果は下記の記載から本発明が属する技術分野で通常の知識を有する者に明らかに理解可能であろう。
【図面の簡単な説明】
【００１７】
本発明に関する理解を助けるために詳細な説明の一部として含まれる添付の図面は、本発明の実施例を提供し、詳細な説明と共に本発明の技術的思想を説明する。
【００１８】
【図１】無線通信システムの一例としてＥ−ＵＭＴＳネットワーク構造を示す概略図である。
【図２】３ＧＰＰ無線接続ネットワーク規格に基づく端末とＥ−ＵＴＲＡＮ間の無線インターフェースプロトコル(Ｒａｄｉｏ Ｉｎｔｅｒｆａｃｅ Ｐｒｏｔｏｃｏｌ)の制御平面(Ｃｏｎｔｒｏｌ Ｐｌａｎｅ)及びユーザ平面(Ｕｓｅｒ Ｐｌａｎｅ)構造を示す図である。
【図３】３ＧＰＰシステムに用いられる物理チャネル及びこれらのチャネルを用いた一般的な信号送信方法を説明するための図である。
【図４】ＬＴＥシステムで用いられる無線フレームの構造を例示する図である。
【図５】ＬＴＥシステムで用いられる下りリンク無線フレームの構造を例示する図である。
【図６】ＬＴＥシステムで用いられる上りリンクサブフレームの構造を示す図である。
【図７】一般的な多重アンテナ(ＭＩＭＯ)通信システムの構成を例示する図である。
【図８】本発明の実施例によって上りリンクプリコードＳＲＳを用いる通信方法を説明するフローチャートである。
【図９】本発明の実施例に適用可能な基地局及び端末を示す図である。
【発明を実施するための形態】
【００１９】
以下に添付の図面を参照して説明された本発明の実施例から、本発明の構成、作用及び他の特徴が容易に理解されるであろう。以下に説明される実施例は、本発明の技術的特徴が３ＧＰＰシステムに適用された例である。
【００２０】
本明細書ではＬＴＥシステム及びＬＴＥ−Ａシステムを用いて本発明の実施例を説明するが、これは例示に過ぎず、本発明の実施例は、上述した定義に該当するいかなる通信システムにも適用可能である。また、本明細書は、ＦＤＤ方式を基準にして本発明の実施例について説明するが、これは例示に過ぎず、本発明の実施例は、Ｈ−ＦＤＤ方式又はＴＤＤ方式にも容易に変形されて適用されてもよい。
【００２１】
図２は、３ＧＰＰ無線接続網規格に基づく端末とＥ−ＵＴＲＡＮとの間の無線インターフェースプロトコル(Ｒａｄｉｏ Ｉｎｔｅｒｆａｃｅ Ｐｒｏｔｏｃｏｌ)の制御平面及びユーザ平面の構造を示す図である。制御平面とは、端末(Ｕｓｅｒ Ｅｑｕｉｐｍｅｎｔ；ＵＥ)とネットワークとが信号を管理するために用いる制御メッセージが送信される通路のことを意味する。ユーザ平面とは、アプリケーション層で生成されたデータ、例えば、音声データ又はインターネットパケットデータなどが送信される通路のことを意味する。
【００２２】
第１層である物理層は、物理チャネル(Ｐｈｙｓｉｃａｌ Ｃｈａｎｎｅｌ)を用いて上位層に情報送信サービス(Ｉｎｆｏｒｍａｔｉｏｎ Ｔｒａｎｓｆｅｒ Ｓｅｒｖｉｃｅ)を提供する。物理層は、上位の媒体接続制御(Ｍｅｄｉｕｍ Ａｃｃｅｓｓ Ｃｏｎｔｒｏｌ)層とは送信チャネル(Ｔｒａｎｓｐｏｒｔ Ｃｈａｎｎｅｌ)を介して接続されている。該送信チャネルを通じて媒体接続制御層と物理層との間にデータが移動する。送信側の物理層と受信側の物理層との間には物理チャネルを通じてデータが移動する。該物理チャネルは、時間及び周波数を無線リソースとして活用する。具体的に、物理チャネルは、下りリンクにおいてＯＦＤＭＡ(Ｏｒｔｈｏｇｏｎａｌ Ｆｒｅｑｕｅｎｃｙ Ｄｉｖｉｓｉｏｎ Ｍｕｌｔｉｐｌｅ Ａｃｃｅｓｓ)方式で変調され、上りリンクにおいてＳＣ−ＦＤＭＡ(Ｓｉｎｇｌｅ Ｃａｒｒｉｅｒ Ｆｒｅｑｕｅｎｃｙ Ｄｉｖｉｓｉｏｎ Ｍｕｌｔｉｐｌｅ Ａｃｃｅｓｓ)方式で変調される。
【００２３】
第２層の媒体接続制御(Ｍｅｄｉｕｍ Ａｃｃｅｓｓ Ｃｏｎｔｒｏｌ；ＭＡＣ)層は、論理チャネル(Ｌｏｇｉｃａｌ Ｃｈａｎｎｅｌ)を通じて、上位層である無線リンク制御(Ｒａｄｉｏ Ｌｉｎｋ Ｃｏｎｔｒｏｌ；ＲＬＣ)層にサービスを提供する。第２層のＲＬＣ層は、信頼できるデータ送信を支援する。ＲＬＣ層の機能は、ＭＡＣ内部の機能ブロックとしてもよい。
【００２４】
第２層のＰＤＣＰ(Ｐａｃｋｅｔ Ｄａｔａ Ｃｏｎｖｅｒｇｅｎｃｅ Ｐｒｏｔｏｃｏｌ)層は、帯域幅の狭い無線インターフェースでＩＰｖ４やＩＰｖ６のようなＩＰパケットを効率的に送信するために、余分の制御情報を減らすヘッダー圧縮(Ｈｅａｄｅｒ Ｃｏｍｐｒｅｓｓｉｏｎ)機能を果たす。
【００２５】
第３層の最下部に位置する無線リソース制御(Ｒａｄｉｏ Ｒｅｓｏｕｒｃｅ Ｃｏｎｔｒｏｌ；ＲＲＣ)層は、制御平面にのみ定義される。ＲＲＣ層は、無線ベアラー(Ｒａｄｉｏ Ｂｅａｒｅｒ)の設定(Ｃｏｎｆｉｇｕｒａｔｉｏｎ)、再設定(Ｒｅ−ｃｏｎｆｉｇｕｒａｔｉｏｎ)及び解除(Ｒｅｌｅａｓｅ)に関連して、論理チャネル、送信チャネル及び物理チャネルの制御を担当する。無線ベアラー(ＲＢ)とは、端末とネットワーク間のデータ伝達のために第２層により提供されるサービスのことを意味する。そのために、端末のＲＲＣ層とネットワークのＲＲＣ層とはＲＲＣメッセージを互いに交換する。端末のＲＲＣ層とネットワークのＲＲＣ層間にＲＲＣ接続(ＲＲＣ Ｃｏｎｎｅｃｔｅｄ)がある場合に、端末はＲＲＣ接続状態(Ｃｏｎｎｅｃｔｅｄ Ｍｏｄｅ)にあり、そうでない場合は、ＲＲＣ休止状態(Ｉｄｌｅ Ｍｏｄｅ)にあるようになる。ＲＲＣ層の上位にあるＮＡＳ(Ｎｏｎ−Ａｃｃｅｓｓ Ｓｔｒａｔｕｍ)層は、セッション管理(Ｓｅｓｓｉｏｎ Ｍａｎａｇｅｍｅｎｔ)と移動性管理(Ｍｏｂｉｌｉｔｙ Ｍａｎａｇｅｍｅｎｔ)などの機能を果たす。
【００２６】
基地局(ｅＮＢ)を構成する１つのセルは、１.２５、２.５、５、１０、１５、２０ＭＨｚなどの帯域幅のうちの１つに設定されて、複数の端末に下り又は上り送信サービスを提供する。互いに異なるセルは、互いに異なる帯域幅を提供するように設定される。
【００２７】
ネットワークから端末にデータを送信する下り送信チャネルとしては、システム情報を送信するＢＣＨ(Ｂｒｏａｄｃａｓｔ Ｃｈａｎｎｅｌ)、ページングメッセージを送信するＰＣＨ(Ｐａｇｉｎｇ Ｃｈａｎｎｅｌ)、ユーザトラフィックや制御メッセージを送信する下りＳＣＨ(Ｓｈａｒｅｄ Ｃｈａｎｎｅｌ)などがある。下りマルチキャスト又は放送サービスのトラフィック又は制御メッセージは、下りＳＣＨを通じて送信されてもよく、別の下りＭＣＨ(Ｍｕｌｔｉｃａｓｔ Ｃｈａｎｎｅｌ)を通じて送信されてもよい。一方、端末からネットワークにデータを送信する上り送信チャネルとしては、初期制御メッセージを送信するＲＡＣＨ(Ｒａｎｄｏｍ Ａｃｃｅｓｓ Ｃｈａｎｎｅｌ)、ユーザトラフィックや制御メッセージを送信する上りＳＣＨ(Ｓｈａｒｅｄ Ｃｈａｎｎｅｌ)がある。送信チャネルの上位に存在し、送信チャネルにマッピングされる論理チャネル(Ｌｏｇｉｃａｌ Ｃｈａｎｎｅｌ)としては、ＢＣＣＨ(Ｂｒｏａｄｃａｓｔ Ｃｏｎｔｒｏｌ Ｃｈａｎｎｅｌ)、ＰＣＣＨ(Ｐａｇｉｎｇ Ｃｏｎｔｒｏｌ Ｃｈａｎｎｅｌ)、ＣＣＣＨ(Ｃｏｍｍｏｎ Ｃｏｎｔｒｏｌ Ｃｈａｎｎｅｌ)、ＭＣＣＨ(Ｍｕｌｔｉｃａｓｔ Ｃｏｎｔｒｏｌ Ｃｈａｎｎｅｌ)、ＭＴＣＨ(Ｍｕｌｔｉｃａｓｔ Ｔｒａｆｆｉｃ Ｃｈａｎｎｅｌ)などがある。
【００２８】
図３は、３ＧＰＰシステムに用いられる物理チャネル及びこれらのチャネルを用いた一般の信号送信方法を説明するための図である。
【００２９】
端末は、電源が入ったり、新しくセルに進入したりした場合に、基地局と同期を取る等の初期セル探索(Ｉｎｉｔｉａｌ ｃｅｌｌ ｓｅａｒｃｈ)作業を行う(Ｓ３０１)。そのために、端末は、基地局からプライマリ同期チャネル(Ｐｒｉｍａｒｙ Ｓｙｎｃｈｒｏｎｉｚａｔｉｏｎ Ｃｈａｎｎｅｌ；Ｐ−ＳＣＨ)及びセカンダリ同期チャネル(Ｓｅｃｏｎｄａｒｙ Ｓｙｎｃｈｒｏｎｉｚａｔｉｏｎ Ｃｈａｎｎｅｌ；Ｓ−ＳＣＨ)を受信して基地局と同期を取り、セルＩＤなどの情報を取得すればよい。その後、端末は、基地局から物理放送チャネル(Ｐｈｙｓｉｃａｌ Ｂｒｏａｄｃａｓｔ Ｃｈａｎｎｅｌ)を受信し、セル内放送情報を取得できる。一方、端末は、初期セル探索段階で、下りリンク参照信号(Ｄｏｗｎｌｉｎｋ Ｒｅｆｅｒｅｎｃｅ Ｓｉｇｎａｌ；ＤＬ ＲＳ)を受信し、下りリンクチャネル状態を確認できる。
【００３０】
初期セル探索を終えた端末は、物理下りリンク制御チャネル(Ｐｈｙｓｉｃａｌ Ｄｏｗｎｌｉｎｋ Ｃｏｎｔｒｏｌ Ｃｈａｎｎｅｌ；ＰＤＣＣＨ)、及び該ＰＤＣＣＨに載せられた情報に基づいて物理下りリンク共有チャネル(Ｐｈｙｓｉｃａｌ Ｄｏｗｎｌｉｎｋ Ｃｏｎｔｒｏｌ Ｃｈａｎｎｅｌ；ＰＤＳＣＨ)を受信することによって、より具体的なシステム情報を取得できる(Ｓ３０２)。
【００３１】
一方、基地局に最初に接続したり信号送信のための無線リソースがない場合には、端末は、基地局にランダムアクセス手順(Ｒａｎｄｏｍ Ａｃｃｅｓｓ Ｐｒｏｃｅｄｕｒｅ；ＲＡＣＨ)を行ってよい(Ｓ３０３乃至Ｓ３０６)。そのために、端末は、物理ランダムアクセスチャネル(Ｐｈｙｓｉｃａｌ Ｒａｎｄｏｍ Ａｃｃｅｓｓ Ｃｈａｎｎｅｌ；ＰＲＡＣＨ)を通じて特定シーケンスをプリアンブルとして送信し(Ｓ３０３及びＳ３０５)、ＰＤＣＣＨ及び対応するＰＤＳＣＨを通じて、プリアンブルに対する応答メッセージを受信すればよい(Ｓ３０４及びＳ３０６)。競合ベースのＲＡＣＨについては、競合解決手順(Ｃｏｎｔｅｎｔｉｏｎ Ｒｅｓｏｌｕｔｉｏｎ Ｐｒｏｃｅｄｕｒｅ)をさらに行ってもよい。
【００３２】
上述の手順を行った端末は、その後、一般的な上りリンク／下りリンク信号送信手順として、ＰＤＣＣＨ／ＰＤＳＣＨ受信(Ｓ３０７)、及び物理上りリンク共有チャネル(Ｐｈｙｓｉｃａｌ Ｕｐｌｉｎｋ Ｓｈａｒｅｄ Ｃｈａｎｎｅｌ；ＰＵＳＣＨ)／物理上りリンク制御チャネル(Ｐｈｙｓｉｃａｌ Ｕｐｌｉｎｋ Ｃｏｎｔｒｏｌ Ｃｈａｎｎｅｌ；ＰＵＣＣＨ)送信(Ｓ３０８)を行えばよい。特に、端末はＰＤＣＣＨを通じて下りリンク制御情報(Ｄｏｗｎｌｉｎｋ Ｃｏｎｔｒｏｌ Ｉｎｆｏｒｍａｔｉｏｎ；ＤＣＩ)を受信する。ここで、ＤＣＩは、端末に対するリソース割り当て情報のような制御情報を含んでおり、その使用目的によってフォーマットが異なっている。
【００３３】
一方、端末が上りリンクを通じて基地局に送信する又は端末が基地局から受信する制御情報としては、下りリンク／上りリンクＡＣＫ／ＮＡＣＫ信号、ＣＱＩ(Ｃｈａｎｎｅｌ Ｑｕａｌｉｔ Ｉｎｄｉｃａｔｏｒ)、ＰＭＩ(Ｐｒｅｃｏｄｉｎｇ Ｍａｔｒｉｘ Ｉｎｄｅｘ)、ＲＩ(Ｒａｎｋ Ｉｎｄｉｃａｔｏｒ)などを含む。３ＧＰＰ ＬＴＥシステムでは、端末は、これらのＣＱＩ／ＰＭＩ／ＲＩなどの制御情報をＰＵＳＣＨ及び／又はＰＵＣＣＨを通じて送信してもよい。
【００３４】
図４は、ＬＴＥシステムで用いられる無線フレームの構造を例示する図である。
【００３５】
図４を参照すると、無線フレーム(ｒａｄｉｏ ｆｒａｍｅ)は１０ｍｓ(３２７２００×Ｔｓ)の長さを有し、１０個の均等なサイズのサブフレーム(ｓｕｂｆｒａｍｅ)で構成されている。それぞれのサブフレームは１ｍｓの長さを有し、２個のスロット(ｓｌｏｔ)で構成されている。それぞれのスロットは０．５ｍｓ(１５３６０×Ｔｓ)の長さを有する。ここで、Ｔｓはサンプリング時間を表し、Ｔｓ＝１／(１５ｋＨｚ×２０４８)＝３．２５５２×１０−８(約３３ｎｓ)で表示される。スロットは時間領域において複数のＯＦＤＭシンボルを含み、周波数領域において複数のリソースブロック(Ｒｅｓｏｕｒｃｅ Ｂｌｏｃｋ；ＲＢ)を含む。ＬＴＥシステムにおいて一つのリソースブロックは１２個の副搬送波×７(６)個のＯＦＤＭシンボルを含む。データの送信される単位時間であるＴＴＩ(Ｔｒａｎｓｍｉｓｓｉｏｎ Ｔｉｍｅ Ｉｎｔｅｒｖａｌ)は一つ以上のサブフレーム単位に定めることができる。上述した無線フレームの構造は例示に過ぎず、無線フレームに含まれるサブフレームの数、サブフレームに含まれるスロットの数、又はスロットに含まれるＯＦＤＭシンボルの数は様々に変更されてもよい。
【００３６】
図５は、下りリンク無線フレームにおいて一つのサブフレームの制御領域に含まれる制御チャネルを例示する図である。
【００３７】
図５を参照すると、サブフレームは１４個のＯＦＤＭシンボルで構成されている。サブフレーム設定によって先頭の１乃至３個のＯＦＤＭシンボルは制御領域として用いられ、残り１３〜１１個のＯＦＤＭシンボルはデータ領域として用いられる。同図で、Ｒ１乃至Ｒ４は、アンテナ０乃至３に対する基準信号(Ｒｅｆｅｒｅｎｃｅ Ｓｉｇｎａｌ(ＲＳ)又はＰｉｌｏｔ Ｓｉｇｎａｌ)を表す。ＲＳは、制御領域及びデータ領域を問わず、サブフレーム内に一定のパターンで固定される。制御チャネルは、制御領域においてＲＳの割り当てられていないリソースに割り当てられ、トラフィックチャネルもデータ領域においてＲＳの割り当てられていないリソースに割り当てられる。制御領域に割り当てられる制御チャネルには、ＰＣＦＩＣＨ(Ｐｈｙｓｉｃａｌ Ｃｏｎｔｒｏｌ Ｆｏｒｍａｔ Ｉｎｄｉｃａｔｏｒ ＣＨａｎｎｅｌ)、ＰＨＩＣＨ(Ｐｈｙｓｉｃａｌ Ｈｙｂｒｉｄ−ＡＲＱ Ｉｎｄｉｃａｔｏｒ ＣＨａｎｎｅｌ)、ＰＤＣＣＨ(Ｐｈｙｓｉｃａｌ Ｄｏｗｎｌｉｎｋ Ｃｏｎｔｒｏｌ ＣＨａｎｎｅｌ)などがある。
【００３８】
ＰＣＦＩＣＨは物理制御フォーマット指示子チャネルで、毎サブフレームごとにＰＤＣＣＨに用いられるＯＦＤＭシンボルの個数を端末に知らせる。ＰＣＦＩＣＨは、最初のＯＦＤＭシンボルに位置し、ＰＨＩＣＨ及びＰＤＣＣＨに優先して設定される。ＰＣＦＩＣＨは４個のＲＥＧ(Ｒｅｓｏｕｒｃｅ Ｅｌｅｍｅｎｔ Ｇｒｏｕｐ)で構成され、それぞれのＲＥＧはセルＩＤ(Ｃｅｌｌ ＩＤｅｎｔｉｔｙ)に基づいて制御領域内に分散される。一つのＲＥＧは４個のＲＥ(Ｒｅｓｏｕｒｃｅ Ｅｌｅｍｅｎｔ)で構成される。ＲＥは、１副搬送波×１ＯＦＤＭシンボルと定義される最小物理リソースを表す。ＰＣＦＩＣＨ値は帯域幅によって１〜３又は２〜４の値を指示し、ＱＰＳＫ(Ｑｕａｄｒａｔｕｒｅ Ｐｈａｓｅ Ｓｈｉｆｔ Ｋｅｙｉｎｇ)で変調される。
【００３９】
ＰＨＩＣＨは、物理ＨＡＲＱ(Ｈｙｂｒｉｄ−Ａｕｔｏｍａｔｉｃ Ｒｅｐｅａｔ ａｎｄ ｒｅｑｕｅｓｔ)指示子チャネルで、上りリンク送信に対するＨＡＲＱ ＡＣＫ／ＮＡＣＫを運ぶために用いられる。即ち、ＰＨＩＣＨは、ＵＬ ＨＡＲＱのためのＤＬ ＡＣＫ／ＮＡＣＫ情報が送信されるチャネルを表す。ＰＨＩＣＨは、１個のＲＥＧで構成され、セル特定(ｃｅｌｌ−ｓｐｅｃｉｆｉｃ)にスクランブル(ｓｃｒａｍｂｌｉｎｇ)される。ＡＣＫ／ＮＡＣＫは１ビットで指示され、ＢＰＳＫ(Ｂｉｎａｒｙ ｐｈａｓｅ ｓｈｉｆｔ ｋｅｙｉｎｇ)で変調される。変調されたＡＣＫ／ＮＡＣＫは拡散因子(Ｓｐｒｅａｄｉｎｇ Ｆａｃｔｏｒ；ＳＦ)＝２又は４で拡散される。同一のリソースにマッピングされる複数のＰＨＩＣＨは、ＰＨＩＣＨグループを構成する。ＰＨＩＣＨグループに多重化されるＰＨＩＣＨの個数は、拡散コードの個数によって決定される。ＰＨＩＣＨ(グループ)は周波数領域及び／又は時間領域においてダイバーシティ得を得るために３回繰り返し(ｒｅｐｅｔｉｔｉｏｎ)される。
【００４０】
ＰＤＣＣＨは物理下りリンク制御チャネルで、サブフレームにおける先頭のｎ個のＯＦＤＭシンボルに割り当てられる。ここで、ｎは１以上の整数で、ＰＣＦＩＣＨによって指示される。ＰＤＣＣＨは一つ以上のＣＣＥで構成される。ＰＤＣＣＨは、送信チャネルであるＰＣＨ(Ｐａｇｉｎｇ ｃｈａｎｎｅｌ)及びＤＬ−ＳＣＨ(Ｄｏｗｎｌｉｎｋ−ｓｈａｒｅｄ ｃｈａｎｎｅｌ)のリソース割り当てに関する情報、上りリンクスケジューリンググラント(Ｕｐｌｉｎｋ Ｓｃｈｅｄｕｌｉｎｇ Ｇｒａｎｔ)、ＨＡＲＱ情報などを各端末又は端末グループに知らせる。ＰＣＨ(Ｐａｇｉｎｇ ｃｈａｎｎｅｌ)及びＤＬ−ＳＣＨ(Ｄｏｗｎｌｉｎｋ−ｓｈａｒｅｄ ｃｈａｎｎｅｌ)はＰＤＳＣＨを通じて送信される。従って、基地局と端末は一般に、特定の制御情報又は特定のサービスデータ以外は、ＰＤＳＣＨを通じてデータをそれぞれ送信及び受信する。
【００４１】
ＰＤＳＣＨのデータがいずれの端末(一つ又は複数の端末)に送信されるものか、これら端末がどのようにＰＤＳＣＨデータを受信してデコードしなければならないかに関する情報などは、ＰＤＣＣＨに含まれて送信される。例えば、特定ＰＤＣＣＨが「Ａ」というＲＮＴＩ(Ｒａｄｉｏ Ｎｅｔｗｏｒｋ Ｔｅｍｐｏｒａｒｙ Ｉｄｅｎｔｉｔｙ)でＣＲＣマスクされており、「Ｂ」という無線リソース(例えば、周波数位置)及び「Ｃ」というＤＣＩフォーマット、即ち、送信形式情報(例えば、送信ブロックサイズ、変調方式、コーディング情報など)を用いて送信されるデータに関する情報が、特定サブフレームで送信されると仮定する。この場合、セル内の端末は、自身が持っているＲＮＴＩ情報を用いて検索領域でＰＤＣＣＨをモニタリング、即ち、ブラインドデコードし、「Ａ」のＲＮＴＩを持っている一つ以上の端末があると、これらの端末はＰＤＣＣＨを受信し、受信したＰＤＣＣＨの情報に基づいて「Ｂ」と「Ｃ」によって指示されるＰＤＳＣＨを受信する。
【００４２】
図６は、ＬＴＥシステムで用いられる上りリンクサブフレームの構造を示す図である。
【００４３】
図６を参照すると、上りリンクサブフレームは、制御情報を運ぶＰＵＣＣＨ(Ｐｈｙｓｉｃａｌ Ｕｐｌｉｎｋ Ｃｏｎｔｒｏｌ ＣＨａｎｎｅｌ)が割り当てられる領域と、ユーザデータを運ぶＰＵＳＣＨ(Ｐｈｙｓｉｃａｌ Ｕｐｌｉｎｋ Ｓｈａｒｅｄ ＣＨａｎｎｅｌ)が割り当てられる領域とに区別される。サブフレームにおいて中間部分がＰＵＳＣＨに割り当てられ、周波数領域においてデータ領域の両側部分がＰＵＣＣＨに割り当てられる。ＰＵＣＣＨ上で送信される制御情報は、ＨＡＲＱに用いられるＡＣＫ／ＮＡＣＫ、下りリンクチャネル状態を示すＣＱＩ(Ｃｈａｎｎｅｌ Ｑｕａｌｉｔｙ Ｉｎｄｉｃａｔｏｒ)、ＭＩＭＯのためのＲＩ(Ｒａｎｋ Ｉｎｄｉｃａｔｏｒ)、上りリンクリソース割り当て要請であるＳＲ(Ｓｃｈｅｄｕｌｉｎｇ Ｒｅｑｕｅｓｔ)などがある。一つの端末に対するＰＵＣＣＨは、サブフレーム内の各スロットで互いに異なる周波数を占める一つのリソースブロックを使用する。即ち、ＰＵＣＣＨに割り当てられる２個のリソースブロックはスロット境界で周波数ホッピング(ｆｒｅｑｕｅｎｃｙ ｈｏｐｐｉｎｇ)する。特に、図６は、ｍ＝０のＰＵＣＣＨ、ｍ＝１のＰＵＣＣＨ、ｍ＝２のＰＵＣＣＨ、ｍ＝３のＰＵＣＣＨがサブフレームに割り当てられるとしている。
【００４４】
また、１つのサブフレーム内でサウンディング参照信号が送信可能な時間は、１つのサブフレームで時間軸上で最後に位置するシンボルがある区間であり、周波数上ではデータ送信帯域を介して送信される。同じサブフレームの最後のシンボルに送信される複数の端末のサウンディング参照信号は、周波数位置によって区分可能である。
【００４５】
以下、ＭＩＭＯシステムについて説明する。ＭＩＭＯ(Ｍｕｌｔｉｐｌｅ−Ｉｎｐｕｔ Ｍｕｌｔｉｐｌｅ−Ｏｕｔｐｕｔ)は、複数の送信アンテナと複数の受信アンテナを使用する方法であって、この方法によりデータの送受信効率を向上させることができる。即ち、無線通信システムの送信端又は受信端で複数のアンテナを使用することにより、容量を増大させて性能を向上させることができる。以下、この明細書では、ＭＩＭＯを'多重アンテナ'とも称する。
【００４６】
多重アンテナ技術では、１つの全体メッセージを受信する時に単一アンテナ経路に依存しない。その代わりに、多重アンテナ技術では、複数のアンテナで受信されたデータの断片(ｆｒａｇｍｅｎｔ)を集めて併合することによりデータを完成する。多重アンテナ技術を使用すると、特定サイズのセル領域内でデータの送信速度を向上させるか、又は特定データの送信速度を保障しながらシステムのカバレッジを増加させることができる。この技術は、移動通信端末と中継器などに幅広く使用することができる。多重アンテナ技術によると、単一アンテナを使用した従来技術による移動通信における送信量の限界を克服できる。
【００４７】
図７は一般的な多重アンテナ(ＭＩＭＯ)通信システムの構成図を示している。
【００４８】
送信端にはＮＴ個の送信アンテナが設けられ、受信端にはＮＲ個の受信アンテナが設けられる。このように送信端及び受信端で複数のアンテナを使用する場合、送信端及び受信端のうちの一方のみで複数のアンテナを使用する場合よりも理論的なチャネル送信の容量が増加する。チャネル送信の容量増加はアンテナ数に比例する。従って、送信レートが向上し、周波数効率が向上する。１つのアンテナを用いる場合の最大送信レートをＲｏとすると、多重アンテナを使用する時の送信レートは、理論的に以下の数１のように、最大送信レートＲｏにレート増加率Ｒｉを乗じた分だけ増加する。ここで、ＲｉはＮＴとＮＲのうち、小さい値である。
【００４９】
【数１】
0006898997.tif 000002
【００５０】
例えば、４つの送信アンテナと４つの受信アンテナを用いるＭＩＭＯ通信システムでは、単一アンテナのシステムに比べて、理論上４倍の送信レートが得られる。このような多重アンテナシステムの理論的容量増加が９０年代中半に証明された後、実質的にデータの送信率を向上させるための様々な技術が現在まで活発に研究されており、これらのうちの一部技術は、既に３世代移動通信と次世代無線ＬＡＮなどの様々な無線通信の標準に反映されている。
【００５１】
多重アンテナに関する現在までの研究を見ると、様々なチャネル環境及び多重接続環境における多重アンテナ通信の容量計算などに関する情報理論側面の研究、多重アンテナシステムの無線チャネル測定及び模型を導く研究、及び送信信頼度の向上及び送信率の向上のための時空間信号処理技術に関する研究など、様々な観点から盛んな研究が行われている。
【００５２】
多重アンテナシステムにおける通信方法をより具体的に説明するために数学的にモデリングすると、以下の通りである。図７に示したように、ＮＴ個の送信アンテナとＮＲ個の受信アンテナが存在すると仮定する。まず、送信信号について説明すると、ＮＴ個の送信アンテナがある場合、最大の送信可能情報はＮＴ個であるので、送信情報を以下の数２のようなベクトルで示すことができる。
【００５３】
【数２】
0006898997.tif 000003
【００５４】
一方、各々の送信情報
0006898997.tif 000004
において、送信電力を異なるようにすることができ、この時、各々の送信電力を
0006898997.tif 000005
として、伝送電力が調整される送信情報をベクトルで示すと、以下の数３の通りである。
【００５５】
【数３】
0006898997.tif 000006
【００５６】
また、
0006898997.tif 000007
を送信電力の対角行列
0006898997.tif 000008
を用いて示すと、以下の数４の通りである。
【００５７】
【数４】
0006898997.tif 000009
【００５８】
一方、送信電力が調整された情報ベクトル
0006898997.tif 000010
に加重値行列(Ｗｅｉｇｈｔ Ｍａｔｒｉｘ)
0006898997.tif 000011
が適用されて実際に送信されるＮＴ個の送信信号(ｔｒａｎｓｍｉｔｔｅｄ ｓｉｇｎａｌ)
0006898997.tif 000012
が構成される場合について考える。ここで、加重値行列は送信情報を送信チャネル状況などによって各アンテナに適切に分配する役割を果たす。このような送信信号
0006898997.tif 000013
は、ベクトル
0006898997.tif 000014
を用いて以下の数５のように示すことができる。ここで、
0006898997.tif 000015
は
0006898997.tif 000016
番目の送信アンテナと
0006898997.tif 000017
番目の情報の間の加重値を意味する。
0006898997.tif 000018
は加重値行列又はプリコーディング行列(Ｐｒｅｃｏｄｉｎｇ Ｍａｔｒｉｘ)とも呼ばれる。
【００５９】
【数５】
0006898997.tif 000019
【００６０】
一般的には、チャネル行列のランク(ｒａｎｋ)の物理的な意味は、与えられたチャネルで互いに異なる情報を送信可能な最大数である。よって、チャネル行列のランクは、互いに独立する行又は列の数のうちの最小数と定義されるので、行列のランクは行又は列の数より大きくてはいけない。例えば、チャネル行列Ｈのランク(ｒａｎｋ(Ｈ))は、数６のように制限される。
【００６１】
【数６】
0006898997.tif 000020
【００６２】
また、多重アンテナ技術を使用して送信する互いに異なる情報を各々'送信ストリーム(Ｓｔｒｅａｍ)'又は簡単に'ストリーム'と定義する。このような'ストリーム'は'レイヤ(Ｌａｙｅｒ)'とも称される。この場合、送信ストリームの数は互いに異なる情報を送信可能な最大数であるチャネルのランクより大きくてはいけない。従って、チャネル行列Ｈは、以下の数７のように示すことができる。
【００６３】
【数７】
0006898997.tif 000021
【００６４】
ここで、"＃ ｏｆ ｓｔｒｅａｍｓ"はストリームの数を示す。ここで、１つのストリームは１つ以上のアンテナにより送信できること注意する必要がある。
【００６５】
１つ以上のストリームを複数のアンテナに対応させる方法が多数存在する。これらの方法を多重アンテナ技術の種類によって説明すると、以下の通りである。１つのストリームが複数のアンテナを経て送信される場合を空間ダイバーシティ方式と言え、複数のストリームが複数のアンテナを経て送信される場合を空間多重化方式と言う。勿論、これらの中間である空間ダイバーシティと空間多重化の混合(Ｈｙｂｒｉｄ)形態も可能である。
【００６６】
以下、チャネル状態情報(ｃｈａｎｎｅｌ ｓｔａｔｅ ｉｎｆｏｒｍａｔｉｏｎ、ＣＳＩ)の報告について説明する。現在ＬＴＥ標準では、チャネル状態情報なしに運用される開ループ(ｏｐｅｎ−ｌｏｏｐ)ＭＩＭＯと、チャネル状態情報に基づいて運用される閉ループ(ｃｌｏｓｅｄ−ｌｏｏｐ)ＭＩＭＯの２つの送信方式が存在する。特に、閉ループＭＩＭＯでは、ＭＩＭＯアンテナの多重化利得(ｍｕｌｔｉｐｌｅｘｉｎｇ ｇａｉｎ)を得るために、基地局及び端末は各々チャネル状態情報に基づいてビーム形成を行うことができる。基地局はチャネル状態情報を端末から得るために、端末にＰＵＣＣＨ(Ｐｈｙｓｉｃａｌ Ｕｐｌｉｎｋ ｃｏｎｔｒｏｌ ＣＨａｎｎｅｌ)又はＰＵＳＣＨ(Ｐｈｙｓｉｃａｌ Ｕｐｌｉｎｋ Ｓｈａｒｅｄ ＣＨａｎｎｅｌ)を割り当てて下りリンク信号に関するチャネル状態情報(ＣＳＩ)をフィードバックすると命令する。
【００６７】
ＣＳＩは大きく、ＲＩ(Ｒａｎｋ Ｉｎｄｉｃａｔｏｒ)、ＰＭＩ(Ｐｒｅｃｏｄｉｎｇ Ｍａｔｒｉｘ Ｉｎｄｅｘ)、ＣＱＩ(ＣＨＡＮＮＥＬ Ｑｕａｌｉｔｙ Ｉｎｄｉｃａｔｉｏｎ)の３つの情報に分類される。
【００６８】
第一に、上述したように、ＲＩはチャネルのランク情報を示し、端末が同じ周波数−時間リソースにより受信可能なストリームの数を意味する。ＲＩはチャネルの長周期フェージング(Ｌｏｎｇ Ｔｅｒｍ ｆａｄｉｎｇ)により決定されるので、通常、ＰＭＩ、ＣＱＩ値より長い周期で基地局にフィードバックされる。第二に、ＰＭＩはチャネルの空間特性を反映した値であり、ＳＩＮＲなどのメトリックスを基準として端末が選好する基地局のプリコーディング行列インデックスを示す。最後に、ＣＱＩはチャネルの強度を示す値であり、通常基地局がＰＭＩを用いた時に得られる受信ＳＩＮＲを意味する。
本発明は基地局又は端末のチャネル測定に使用されるＲＳに対して送信プリコーダを適用してＲＳポートを構成し、特定の時間−周波数リソースユニット(即ち、時間−周波数リソースバンドル単位、ＰＲＧ’又は上りリンクＰＲＧ(Ｐｒｅｃｏｄｉｎｇ Ｒｅｓｏｕｒｃｅ ｂｌｏｃｋ Ｇｒｏｕｐｓ))によってプリコーダが特定パターンを有して循環して適用されるか、任意のプリコーダに変更されながら適用されることを特徴とする。特に本発明は、下りリンクＲＳ／上りリンクＲＳに全て適用でき、代表的には下りリンクＣＳＩ−ＲＳ、上りリンクＳＲＳに適用される。また開ループＭＩＭＯ送信又は準−開ループＭＩＭＯ送信に適用されるＲＳを使用でき、閉ループＭＩＭＯ送信でも使用できる。
【００６９】
最近ＲＳにビーム形成が適用された上りリンクプリコード(Ｐｒｅｃｏｄｅｄ)ＳＲＳ又は下りリンクプリコードＣＳＩ−ＲＳなどが論議されており、複数のプリコードＲＳを設定してＵＥ又は基地局が特定のプリコードＲＳを指示して選択する運用方式が考えられている。特に、本発明のプリコードＲＳは信号復調に使用されるＤＭ−ＲＳとは異なる目的(例えば、ＣＳＩ／ＭＣＳ設定及びスケジュールのために使用される目的)を有するＲＳに関する。
【００７０】
本発明で提案するプリコードＲＳにおいて、時間−周波数リソースバンドルの概念を適用してバンドルされたリソース内では受信端が同一のプリコーダであることを仮定できるが、バンドルされたリソースの間には同じプリコーダであることを仮定できない。このようにバンドルされたリソース単位(以下、ＰＲＧ’という)は、復調過程で使用されるＤＭ−ＲＳのリソースバンドル単位(即ち、ＰＲＧ)とは別に設定されて、システム運用上の柔軟性を増加させることができ、又は既存のＰＲＧと同様に制限してシステム運用を簡単にすることもできる。
【００７１】
また上記プリコードＲＳがＤＭ−ＲＳより低密度であることを考慮して、バンドルされたリソース単位をＰＲＧの倍数に設定してチャネル測定の性能を増加させることができる。逆にバンドルされたリソース単位の倍数がＰＲＧになるように設定を制限することもできる。
【００７２】
またＳＲＳの送信帯域幅、即ち、ＲＢ数によってＰＲＧ’が決定される。例えば、帯域幅が小さいほどＰＲＧ’サイズを減少させてＳＲＳに適用される循環ビームの数を維持することができる。ＳＲＳホッピングが設定された場合であると、各ホッピングインスタンス(ｈｏｐｐｉｎｇ ｉｎｓｔａｎｃｅ)ごとに送信帯域幅又はＲＢ数によってＰＲＧ’が決定される。又はＳＲＳホッピングが定義／設定された場合であっても、ＰＲＧ’は全体の該当ＳＲＳ送信帯域(即ち、ＳＲＳ送信に割り当てられたＲＢ数)によってＰＲＧ’が決定され、各ホッピングインスタンスでは該当時点の帯域幅に対してバンドルされたリソース単位に基づいてプリコーダを決定して送信するように設定することができる。
【００７３】
この明細書では、開ループＭＩＭＯ／準−開ループＭＩＭＯ技法について、基本的には特定の時間−周波数リソース単位でビームが変化するビーム循環を仮定して記載しているが、発明の提案は、ビーム循環の代わりに任意の開ループ／準−開ループＭＩＭＯ送信にも適用することができる。ビーム循環とは、時間−周波数リソースが変化することにより特定のＰＭＩセット内に存在するＰＭＩを順に変更して適用することを意味し、時間−周波数リソースが多い場合、全てのＰＭＩが適用された後、再度順にＰＭＩセット内に最初のＰＭＩから再び適用されることである。またＰＭＩセットが設定されず、時間−周波数リソースの変化によってＰＭＩを任意に変化させながら適用することを意味することもできる。
【００７４】
＜第１実施例＞
【００７５】
本発明の第１実施例では、ＰＲＧ’単位で異なるプリコーダが設定される、即ち、ＰＲＧ’リソース内では同じプリコーダが適用されるプリコードＳＲＳの活用方案について説明する。
【００７６】
１)まず、上りリンクプリコードＳＲＳを用いた上りリンク開ループ／準−開ループＭＩＭＯ技法を説明する。
【００７７】
上述したＰＲＧ’単位のプリコーダバンドルをＳＲＳに適用することにより、基地局はＵＥに上りリンク開ループ／準−開ループＭＩＭＯで使用するビーム循環パターン又はプリコーダを暗黙的に指示することができる。例えば、Ｎ個の(プリコード)ＳＲＳ(又はＳＲＳリソース)をＵＥに設定し、ＵＥは各ＳＲＳ(又はＳＲＳリソース)に互いに異なるビーム循環パターン／又は(準)開ループＭＩＭＯ技法を適用して送信する。
【００７８】
ＵＥはＰＲＧ’単位でビーム循環によりプリコードＳＲＳを送信し、このプリコードＳＲＳを複数個送信する。各プリコードＳＲＳには、互いに異なるビーム循環が適用される。基地局は多重プリコードＳＲＳの受信チャネルを確認した後、最善のＳＲＳを選択してＵＥにＤＣＩにより知らせる。基地局はＰＲＧ’単位でチャネル推定を行い、各ＰＲＧ’にどのプリコーダが適用されたかは分からないが、チャネルとプリコーダが共に適用された有効チャネル(ｅｆｆｅｃｔｉｖｅ ｃｈａｎｎｅｌ)を基準としてチャネル推定品質が最も優れるＳＲＳ(又はＳＲＳリソース)を選択し、選択されたＳＲＳ(又はＳＲＳリソース)をＤＣＩにより指示する。その後、ＵＥはＤＣＩに指示されたＳＲＳに適用されたプリコーダを使用して上りリンクデータ送信を行う。
【００７９】
例えば、ＳＲＳ１とＳＲＳ２(又はＳＲＳリソース１とＳＲＳリソース２)を使用する場合、ＵＥはＳＲＳ１にはＰＲＧ’単位でＰＭＩ１乃至ＰＭＩ４を循環適用し、ＳＲＳ２にはＰＲＧ’単位でＰＭＩ５乃至ＰＭＩ８を循環適用して送信する。その後、基地局がＤＣＩ、即ち、上りリンクグラントにＳＲＳ１を指示した場合には、ＵＥはＳＲＳ１に適用されたＰＭＩ１乃至ＰＭＩ４をＤＭ−ＲＳのバンドル単位であるＰＲＧ単位で循環適用してデータを送信する。ＵＥはスケジュールされたＲＢをＰＲＧ単位で区分し、ＰＲＧ単位でＰＭＩ１乃至ＰＭＩ４を順に適用してデータ及びＤＭ−ＲＳを送信する。
【００８０】
一方、各ＳＲＳに適用するビーム循環パターンをＵＥが自ら決定するか、基地局が指定するか、又はＵＥが自ら決定することを基地局が助けることができる。
【００８１】
まずＵＥがビーム循環パターン又は(準)開ループＭＩＭＯのプリコーダを自ら決定する場合、ＵＥは下りリンク／上りリンク相反性(ｒｅｃｉｐｒｏｃｉｔｙ)を用いて下りリンクＲＳから上りリンクＲＳを推定して自らビーム循環パターン／プリコーダを決定する。例えば、Ｗ１とＷ２で構成されたデュアルコードブック構造において、ＵＥはベストＷ１をＮ個選択し、Ｎ個のＳＲＳに各々互いに異なるベストＷ１を用いてビーム循環／又は(準)開ループＭＩＭＯを行う。即ち、各ＳＲＳには独立したＷ１が設定され、全てのＳＲＳはＷ２の循環パターンを同一に構成して、結果としてＳＲＳごとに独立した循環ビームが適用されるように具現することができる。
【００８２】
またＳＲＳは共通のＷ１を用いてプリコーダを設定し、Ｗ２を異なるように設定してＳＲＳごとに互いに異なるプリコーダを使用する。この時、Ｗ２を構成するビーム選択(ｂｅａｍ ｓｅｌｅｃｔｏｒ)部分とコ−フェーズ(ｃｏ−ｐｈａｓｅ)部分のうち、一方をＳＲＳごとに異なるように設定し、他方は同一に設定することができる。但し、コ−フェーズの方がランダム性向がもっと強いので、ビーム選択部分のみを異なるように設定することが好ましい。
【００８３】
下りリンク／上りリンクの相反性を利用できない環境でもＵＥはＮ個のＳＲＳに互いに異なる方向内でビーム循環又は(準)開ループＭＩＭＯを適用する。例えば、各ＳＲＳに適用されるビームは垂直方向ドメインにおいて互いに異なる３６０／Ｎ°の方向をカバーするように設定される。具体的には、４つのＳＲＳがあれば、各ＳＲＳに適用されるプリコーダの方向を各ＳＲＳごとに０〜９０°、９０〜１８０°、１８０〜２７０°、２７０〜３６０°をカバーするように設定することができる。
【００８４】
基地局はビーム循環パターンを指示する場合、基地局は各ＳＲＳごとに使用するＣＳＲ(Ｃｏｄｅｂｏｏｋ ｓｕｂｓｅｔ ｒｅｓｔｒｉｃｔｉｏｎ)を指示し、ＵＥは各ＳＲＳのＣＳＲに制限されたＰＭＩを用いてビーム循環又は(準)開ループＭＩＭＯを適用する。また基地局は各ＳＲＳごとに使用するＷ１を指定し、ＵＥは各ＳＲＳのビーム循環／準−開ループＭＩＭＯを行う時、該当Ｗ１を用いてＷ２を循環してビーム循環を生成するか、又はＷ１を用いて準−開ループＭＩＭＯを行う。
【００８５】
ＵＥがビーム循環(又は開ループ／準−開ループＭＩＭＯ)を自ら決定する場合、基地局はコードブック内の全体プリコーダのうち、ＵＥがビーム循環(又は開ループ／準−開ループＭＩＭＯ)のために使用する１つ又は多数のプリコーダを限定することができる。ＵＥは限定されたＰＭＩセット内で自由にビームを決定して、ビーム循環(又は準−開ループＭＩＭＯ)を行う。プリコーダの限定は、ＳＲＳごとに異なるように設定されてＳＲＳごとに互いに異なるＰＭＩを適用して送信するようにする。又は簡単にプリコーダセットの制限、即ち、ＣＳＲを各ＳＲＳに共通適用することができ、この場合、ＵＥはＳＲＳごとに異なるプリコーダを用いて準−開ループ又はビーム循環を行う。
【００８６】
さらに、基地局はＳＲＳ選択情報以外にＵＥが送信するレイヤ数、即ち、ランク情報を共に知らせることができる。選択されたＳＲＳがＮポートである場合、また指示されたランクがＭ個である場合、Ｎ≧Ｍの条件を満たさなければならず、Ｎ個のポートのうち、１番目のポートからＭ番目のポートに適用されたプリコーダを１番目のレイヤからＭ番目のレイヤ送信に１:１にマッピングして使用する。
【００８７】
また基地局はランク情報無しにＳＲＳ選択情報のみを知らせることができる。例えば、ＳＲＳリソース１乃至ＳＲＳリソース４を設定し、ＳＲＳリソース１は１ポートで構成し、ＳＲＳリソース２は２ポートで構成し、ＳＲＳリソース３は３ポートで構成し、ＳＲＳリソース４は４ポートで構成する。従って、基地局がＳＲＳリソースを選択すると、ランクはそのＳＲＳのポート数に自動に決定される。即ち、ＳＲＳ２が選択及び指示されると、基地局とＵＥはＳＲＳ２のポート数に対応するようにランク２にＰＵＳＣＨを送信するように動作する。
【００８８】
２)上りリンクプリコードＳＲＳを用いた閉ループＭＩＭＯ技法を説明する。
【００８９】
上りリンク閉ループＭＩＭＯ技法を使用する場合、基地局はＵＥにどのプリコーダを使用して上りリンクデータを送信するかをＤＣＩにより指示する。基地局が１つのＵＥに周波数選択的スケジュール(ｆｒｅｑｕｅｎｃｙ ｓｅｌｅｃｔｉｖｅ ｓｃｈｅｄｕｌｅｉｎｇ)、即ち、多重ＲＢを割り当て、サブバンド単位で使用する各ＰＭＩを指示する場合、ＤＣＩペイロードサイズが増加する。上りリンクプリコードＳＲＳを使用すると、かかる制御チャネルのオーバーハンドを減少させることができる。
【００９０】
ＵＥは上りリンクＳＲＳにＰＲＧ’単位で互いに異なるプリコーダを用いて送信する。上述したように、基地局がＣＳＲによりＵＥが使用するプリコーダを制限することができ、又は基地局が予めＷ１を指示し、Ｗ２をＵＥが自由に選択／適用することができる。又はＵＥが自らプリコーダを決定することができる。その後、ＵＥはＰＲＧ’単位でビーム循環を行って互いに異なるビームを適用してＳＲＳを送信する。
【００９１】
基地局はＳＲＳを受信した後、ＰＲＧ’単位でチャネルを測定し、ＵＥにどのＰＲＧ’に適用されたプリコーダを使用して上りリンクデータを送信するかに関する情報をＤＣＩにより指示する。
【００９２】
具体的には、基地局は特定のＰＲＧ’リソースを指示し、ＵＥは指示されたＰＲＧ’リソースでＳＲＳ送信のために使用したプリコーダを用いてデータを送信する。ＵＥに複数のＳＲＳが設定された場合、ＳＲＩ(ＳＲＳ指示子)により特定のＳＲＳを指示し、それと共にＰＲＧ’リソースを指示する。リソースが広帯域である場合、ＰＲＧ’リソースを指示すること自体が大きなＤＣＩペイロードを占めることである。従って、基地局はＵＥのビーム循環が終了して新しく開始されるリソース単位を把握する必要があり、この情報は基地局がＵＥに知らせるか、又はＵＥが基地局に報告することにより共有することができる。
【００９３】
例えば、２０ＲＢシステムにおいて、ＰＲＧ’＝１ＲＢであり、ＰＭＩ＝{１,２,３,４}を順に循環適用する場合であれば、基地局とＵＥはＰＭＩが１回循環適用されるリソース単位が４ＰＲＧ’(即ち、４ＲＢ)であるという情報を共有する。この場合、基地局はＲＢ０、ＲＢ４、ＲＢ８、ＲＢ１２及びＲＢ１６に同じＰＭＩが適用されたことを認知するので、該当ＰＭＩを選好する場合、代表ＲＢ(例えば、最低のインデックスのＲＢ)であるＲＢ０を指示する。結果的には、基地局はＲＢ０乃至ＲＢ３のうちのいずれか１つを指示すればよいので、総２ビットのペイロードで情報伝達が可能である。
【００９４】
またサブリソースの概念を導入して同じ動作を行うことができる。即ち、１つのＳＲＳが送信される帯域は複数のサブリソースに区分され、各サブリソースは互いに異なるＰＭＩが適用されたプリコードＳＲＳを送信する。具体的には、サブリソース１乃至サブリソース４が存在し、サブリソース１はＲＢ０、ＲＢ４、ＲＢ８、ＲＢ１２、ＲＢ１６に設定される。またサブリソース２はＲＢ１、ＲＢ５、ＲＢ９、ＲＢ１３、ＲＢ１７に設定され、サブリソース３はＲＢ２、ＲＢ６、ＲＢ１０、ＲＢ１４、ＲＢ１８に設定される。最後に、サブリソース４はＲＢ３、ＲＢ７、ＲＢ１１、ＲＢ１５、ＲＢ１９に設定される。かかる状況において、各サブリソースを構成するＲＢは全体リソースが一定に分布されており、各サブリソースは互いにくし状(ｃｏｍｂ)に結合して全体リソースを構成する。基地局はサブリソースを２ビットサイズのフィールドに指示して、どのＰＭＩをデータ送信に使用するかをＵＥに知らせる。
【００９５】
また具体的には、基地局はＳＲＳの受信後、ＤＣＩによりスケジュール情報を知らせる。ＵＥは該当スケジュールされたリソースでデータを送信する時、該当スケジュールされたリソースでＳＲＳ送信のために使用したプリコーダをそのまま利用する。即ち、ＤＣＩにはＰＭＩに対する追加情報無しに、リソース割り当て情報のみで暗黙的にデータ送信に使用するＰＭＩを決定することができる。
【００９６】
＜第２実施例＞
【００９７】
本発明の第２実施例では、アンテナポート単位で異なるプリコーダが設定される、即ち、各アンテナポートに異なるプリコーダが適用されるプリコードＳＲＳの活用方案を説明する。
【００９８】
Ａ)まず、上りリンク開ループ／準−開ループＭＩＭＯ技法が適用された場合について説明する。
【００９９】
ＲＳのビーム循環が適用された場合、ＲＳの密度が低くなってチャネル測定の正確度が減少する。即ち、ＳＲＳ、ＣＳＩ−ＲＳなどは一般的に全バンドに送信される反面、ＰＲＧ’単位でプリコーダが変化する場合は、ＰＲＧ’リソースの間には有効チャネルがランダムに変化するので、チャネル測定の正確度が落ちる。
【０１００】
従って、ＳＲＳを送信するリソースに対してビーム循環を適用せず、ＳＲＳポートに対してビーム循環を適用することができる。例えば、ＳＲＳポート１乃至ＳＲＳポート４が設定される場合、ＰＭＩ１乃至ＰＭＩ４を順に各ポートに適用して送信する。ＵＥは互いに異なるＰＭＩが適用された多重ＳＲＳを送信し、基地局は最善のＳＲＳを選択してＵＥに指示する。
【０１０１】
基地局が各ＳＲＳのポートごとに互いに異なるＰＭＩが適用されたことを認知して、ＰＲＧ単位でＳＲＳポートを循環してデータを受信した時の最適のＳＲＳを選択する。例えば、ランク１の上りリンクデータ送信を仮定した場合、基地局は４ポートＳＲＳ１に対してＳＲＳポート１乃至ＳＲＳポート４のチャネルｈ１乃至ｈ４を推定し、ＰＲＧ単位で推定されたチャネルを変更しながらデータ受信を仮定してスケジュールを行う。即ち、ＰＲＧ１、ＰＲＧ２、ＰＲＧ３、ＰＲＧ４、ＰＲＧ５…に対して、各々チャネルｈ１、ｈ２、ｈ３、ｈ４、ｈ１…が適用されると仮定し、データを受信した時のＭＣＳ及びリソース割り当てを決定する。
【０１０２】
ランク２である場合は、各ＰＲＧにおいて２つのＳＲＳポートに２つのレイヤが各々送信されると仮定し、各ＰＲＧで仮定する２つのＳＲＳポートを基地局とＵＥが全て把握している必要がある。例えば、ＰＲＧ１、ＰＲＧ２、ＰＲＧ３、ＰＲＧ４、ＰＲＧ５…に対して各々連接したチャネル[ｈ１ ｈ２]、[ｈ３ ｈ４]、[ｈ１ ｈ２]、[ｈ３ ｈ４]、[ｈ１ ｈ２]…にデータが送信されると仮定する。また、１番目のレイヤは連接したチャネルの１番目のチャネルベクトルにより送信され、２番目のレイヤは連接したチャネルの２番目のチャネルベクトルにより送信されると仮定する。
【０１０３】
基地局とＵＥはランクに対するポート循環パターンを共有しているので、基地局がＤＣＩ、即ち、上りリンクグラントにより、ＳＲＩと共にランク情報を知らせると、ＵＥは該当ポート循環パターンに基づいてビーム循環パターンを決定することができる。例えば、ＳＲＩ＝１、ランク＝１である場合、ＳＲＳ１(４ポート)の各ポートにＵＥが使用したプリコーダ１乃至プリコーダ４を循環してデータを送信する。即ち、ＰＲＧ単位でプリコーダ１乃至プリコーダ４を循環適用してデータとＤＭ−ＲＳを送信する。
【０１０４】
Ｂ)次に、上りリンク閉ループＭＩＭＯ技法が適用された場合について説明する。
【０１０５】
閉ループＭＩＭＯのＰＭＩ指示の代わりに、基地局がＵＥに(多重ＳＲＳが設定されている場合は、ＳＲＩと共に)ＳＲＳポートを指示し、ＵＥはそのポートに適用されたビーム／ＰＭＩを使用してデータを送信することができる。１つのＳＲＳを構成する多重ポートは互いにＣＤＭ又はＦＤＭされる。
【０１０６】
例えば、ＦＤＭされる場合、４ポートＳＲＳにおいて、ポート１乃至ポート４はＰＲＧ’(又は特定のリソース単位)１乃至ＰＲＧ’(又は特定のリソース単位)４に順にＦＤＭされ、ＰＲＧ’５からは再度ポート１から循環マッピングされてＦＤＭされる。また、８ポートＳＲＳにおいて、ポート(１、２)、ポート(３、４)、ポート(５,６)、ポート(７,８)単位でＰＲＧ’(又は特定のリソース単位)１乃至ＰＲＧ’(又は特定のリソース単位)４に順にＦＤＭされ、ＰＲＧ’５からは再度ポート(１,２)から循環マッピングされてＦＤＭされる。この場合、ＰＲＧ’単位でプリコーダが異なるように適用されるので、上述した第１実施例と同じ効果が得られ、ＵＥ及び基地局も第１実施例のように動作することができる。
【０１０７】
＜第３実施例＞
【０１０８】
本発明の第３実施例では、ＳＲＳリソースごとに異なるプリコーダが設定されるプリコードＳＲＳの活用方案を説明する。
【０１０９】
上記第１実施例では、１つのＳＲＳ(又はＳＲＳリソース)にＰＲＧ’単位でプリコーダが変化して送信される方案を説明している。しかし、同じ動作をＰＲＧ’の導入なしに、ＳＲＳ(又はＳＲＳリソース)を複数設定して行うことができる。
【０１１０】
例えば、第１実施例において、ＰＭＩ＝{１,２,３,４}がＰＲＧ’単位で循環すると、第３実施例では、４つのＳＲＳを用いて、ＳＲＳ１乃至ＳＲＳ４が各々ＰＭＩ１乃至ＰＭＩ４にプリコードされる。但し、ＳＲＳ１はＰＲＧ’リソース０、４、８、１２、…に送信され、ＳＲＳ２はＰＲＧ’リソース１、５、９、１３、…に送信され、ＳＲＳ３はＰＲＧ’リソース２、６、１０、１４、…に送信され、ＳＲＳ４はＰＲＧ’リソース３、７、１１、１５、…に送信されて、４つのＳＲＳが第１実施例の１つのＳＲＳの役割を果たす。この時、ＳＲＳ１乃至ＳＲＳ４は１つのＳＲＳグループであることを基地局とＵＥが認識する必要があり、ＳＲＳグループごとに互いに異なるビーム循環パターンを有する。例えば、ＳＲＳグループ１及びＳＲＳグループ２を設定し、各ＳＲＳグループは４つのＳＲＳで構成される。基地局又はＵＥは１つのＳＲＳグループを指示又はフィードバックすることにより、データ送信端がそのＳＲＳグループに属するＳＲＳに使用されたプリコーダを循環した時のＣＳＩをフィードバックするか、又はそのプリコーダ循環を用いてデータを送信する。
【０１１１】
＜第４実施例＞
【０１１２】
送信端に多重アンテナパネルが設けられた場合、パネルごとにチャネル状態が異なることができる。例えば、基地局の送信アンテナに多重アンテナパネルが設けられることができ、この場合、下りリンク(準)開ループＭＩＭＯ送信技法の使用時にＵＥが特定パネルに下りリンクデータ送信を希望することを基地局にフィードバックすることができる。特定パネルは受信品質が最高である１つのパネルに限定され、この場合、ＵＥは該パネルの下りリンクチャネルに対して(準)開ループＭＩＭＯ技法で送信された時を仮定したＣＳＩ(即ち、ＲＩ、ＣＱＩ又はＷ１のようなＰＭＩの一部)を共にフィードバックする。その後、基地局は該当パネルに対して開ループＭＩＭＯ送信を行う。
【０１１３】
また特定パネルは全体パネルのうちの１つ以上のサブセットを指示することができ、この場合、ＵＥは該パネルの下りリンクチャネルに対して(準)開ループＭＩＭＯが送信された時を仮定したＣＳＩ(即ち、ＲＩ、ＣＱＩ又はＷ１のようなＰＭＩの一部)を共にフィードバックする。即ち、特定の時間−周波数リソース単位でそのパネルを循環しながらＣＳＩを計算する。例えば、パネル１及びパネル２が選択された場合、ＲＢ０ではパネル１、ＲＢ１ではパネル２、再度ＲＢ２ではパネル１を交互に使用した時のＣＳＩを計算する。基地局は下りリンクデータの送信時に上記ＣＳＩ計算時と同様にＲＢごとにパネルを循環しながらデータを送信する。即ち、基地局はパネル循環により開ループＭＩＭＯ送信を行う。パネル選択がコードブック内で行われる場合、上述したフィードバック情報はコードブック内におけるパネル選択情報になり得る。
【０１１４】
上りリンクでも同様に基地局がＵＥに(又はＵＥが基地局に)上りリンクデータ送信に使用するパネル情報を知らせる。ＵＥはＳＲＳ送信時にも時間−周波数リソース単位ごとにパネルを循環しながらＳＲＳを送信し、基地局はこのＳＲＳからチャネルを測定してＭＣＳを決定する。
【０１１５】
＜第５実施例＞
【０１１６】
一方、基地局はＣＳＩ−ＲＳポートのうちの一部ポートをＵＥに指示することができ、ＵＥは該当ポートのみを使用してＣＳＩをフィードバックする。例えば、８ポートＣＳＩ−ＲＳのうち、サブセットに該当する特定の４ポートをＵＥに指示し、ＵＥは該４ポートに対して準−開ループＭＩＭＯでデータ送信した時のＣＳＩを計算及びフィードバックする。
【０１１７】
又は全体ポートを個々の部分ポートに区分し、各部分ポートに対して準−開ループ送信を行うことができる。この時、各ポートグループは特定の時間−周波数リソース単位で循環しながら送信に使用される。例えば、８ポートＣＳＩ−ＲＳを２ポートずつ４つのポートグループに区分した後、ＲＢ単位で２ポートずつ循環しながらデータ送信に常用する。即ち、ＲＢ１、ＲＢ２、ＲＢ３、ＲＢ４、ＲＢ５…にポート(０,１)、ポート(２,３)、ポート(４,５)、ポート(６,７)、ポート(０,１)…が順に使用される。ＵＥもＣＳＩの計算時にポートグループが循環するという仮定下でＣＳＩを計算しなければならない。
【０１１８】
＜第６実施例＞
【０１１９】
上記第１実施例乃至第３実施例では、ＲＳにより様々なデジタルプリコーダを開示しており、開ループＭＩＭＯ又は閉ループＭＩＭＯの送信を支援する方式を説明している。第６実施例では、ビーム管理の観点で本発明の適用例を説明する。
【０１２０】
例えば、第１実施例において、上りリンク／下りリンクのビーム管理ＲＳ(以下、ＢＲＳと称し、下りリンクＣＳＩ−ＲＳ又は上りリンクＳＲＳである)ごとにＰＲＧ’単位で他のアナログビームを循環して送信する時、基地局はＰＲＧ’リソースを選択してＵＥに指示することにより該当ＢＲＳの該当ＰＲＧ’に使用された(アナログ)ビームを使用すると指示することができる。もし多重ＢＲＳが設定される場合、ＢＲＳ指示情報が共に提供されることができる。
【０１２１】
上りリンクＢＲＳがＳＲＳである場合、基地局はＳＲＳ及びＰＲＧ’又は指示したＳＲＳに適用された多重ビームのうちの１つ又は一部ビームを指示し、ＵＥは該当ビームを送信ビームとして使用する。
【０１２２】
下りリンクＢＲＳがＣＳＩ−ＲＳである場合、ＵＥはＣＳＩ−ＲＳ及びＰＲＧ’又は指示したＣＳＩ−ＲＳに適用された多重ビームのうちの１つ又は一部ビームを指示し、基地局は該当ビームを送信ビームとして使用する。又は下りリンクＣＳＩ−ＲＳにＰＲＧ’単位で他のプリコーダが適用されず、１つのビームが適用され、ＵＥが受信ビームをＰＲＧ’単位で異なるように適用して下りリンクＣＳＩ−ＲＳを受信する。ＵＥはＰＲＧ’単位で設定された多数のＲｘビームのうち、チャネル品質の良いＲｘビームを選択して下りリンクデータ(又はＰＤＣＣＨ)の受信時に受信ビームとして使用する。
【０１２３】
又はＵＥはＰＲＧ’リソースを選択して基地局にフィードバックすることにより、該当ＢＲＳの該当ＰＲＧ’に使用された(アナログ)ビームを選好することを知らせることができる。もし多重ＢＲＳが設定される場合は、ＢＲＳ指示情報が共に提供されることができる。
【０１２４】
かかるビーム指示情報は、上りリンクプリコーディングの観点におけるプリコーダ指示情報とは異なり、上りリンクグラントと共に指示されないことができ、下りリンクグラントと共に伝達されるか、又は専用ＤＣＩフォーマットにより、或いは専用ＲＮＴＩにより送信されることもできる。かかるビーム報告情報はＣＳＩ報告とは別に伝達でき、共に報告する情報にＣＱＩ及び／又はＲＩが含まれないこともでき、その代わりにレイヤ１に対応するＲＳＲＰ(Ｒｅｆｅｒｅｎｃｅ Ｓｉｇｎａｌｓ Ｒｅｃｅｉｖｅｄ Ｐｏｗｅｒ)が含まれることができる。また、下りリンク／上りリンクのプリコーダ指示とは異なり、端末の受信／送信ビームは時間的に比較的長く維持される特性があるので、Ｌ２／Ｌ３レイヤのメッセージにより指示されるか、又は報告する方案も共に考慮する必要がある。
【０１２５】
図８は本発明の実施例によって上りリンクのプリコードＳＲＳを用いる通信方法を説明するフローチャートである。
【０１２６】
図８を参照すると、段階８０１で端末は所定のリソース単位、即ち、ＰＲＧ’単位でプリコーダ循環パターンが適用された複数のプリコード参照信号を基地局に送信する。ここで、複数のプリコード参照信号に適用されたプリコーダ循環パターンは、複数のプリコード参照信号の各々のための第１プリコーダと、複数のプリコード参照信号に共通に適用され、所定のリソース単位で循環適用される第２プリコーダとの結合で定義される。特に、ＴＤＤシステムの場合、基地局から受信した下りリンク参照信号を用いて、複数のプリコード参照信号の各々のための第１プリコーダを決定することができる。
【０１２７】
より好ましくは、複数のプリコード参照信号に適用されたプリコーダ循環パターンは、水平方向ドメインにおいて、互いに異なる方向にプリコード参照信号をプリコーディングし、全水平方向をカバーするように定義される。
【０１２８】
次に、段階８０３で端末は基地局から複数のプリコード参照信号のうちの１つを指示する情報を受信し、段階８０５で端末は指示されたプリコード参照信号に適用されたプリコーダ循環パターンを用いて、基地局に上りリンクデータ信号及び上りリンク復調参照信号を送信する。
【０１２９】
さらに、端末は基地局から所定のリソース単位に関する情報を予め受信することができる。
【０１３０】
図９は本発明の一実施例に適用可能な基地局及び端末を例示する図である。
【０１３１】
図９を参照すると、無線通信システムは、基地局(ＢＳ)１１０及び端末(ＵＥ)１２０を含む。基地局１１０はプロセッサ１１２、メモリ１１４及び無線周波数(ｒａｄｉｏ Ｆｒｅｑｕｅｎｃｙ、ＲＦ)ユニット１１６を含む。プロセッサ１１２は本発明で提案した手順及び／又は方法を具現するように構成される。メモリ１１４はプロセッサ１１２に連結され、プロセッサ１１２の動作に関連する様々な情報を貯蔵する。ＲＦユニット１１６はプロセッサ１１２に連結され、無線信号を送信及び／又は受信する。端末１２０はプロセッサ１２２、メモリ１２４及びＲＦユニット１２６を含む。プロセッサ１２２は本発明で提案した手順及び／又は方法を具現するように構成される。メモリ１２４はプロセッサ１２２に連結され、プロセッサ１２２の動作に関連する様々な情報を貯蔵する。ＲＦユニット１２６はプロセッサ１２２に連結され、無線信号を送信及び／又は受信する。基地局１１０及び／又は端末１２０は単一アンテナ又は多重アンテナを有することができる。
【０１３２】
以上説明してきた実施例は、本発明の構成要素及び特徴を所定形態に結合したものである。各構成要素又は特徴は、別の明示的な言及がない限り、選択的なものとして考慮しなければならない。各構成要素又は特徴は、他の構成要素や特徴と結合しない形態で実施することもでき、一部の構成要素及び／又は特徴を結合して本発明の実施例を構成することもできる。本発明の実施例で説明される動作の順序は変更されてもよい。ある実施例の一部構成や特徴は、他の実施例に含まれてもよく、他の実施例の対応する構成又は特徴に取り替わってもよい。特許請求の範囲において明示的な引用関係にない請求項を結合して実施例を構成したり、出願後の補正により新しい請求項として含めたりできるということは明らかである。
【０１３３】
本文書で基地局によって行われるとした特定動作は、場合によってはその上位ノード（ｕｐｐｅｒ ｏｄｅ）によって行われることもある。すなわち、基地局を含む複数のネットワークノード（ｎｅｔｗｏｒｋ ｎｏｄｅｓ）からなるネットワークにおいて端末との通信のために行われる様々な動作は、基地局又は基地局以外の他のネットワークノードによって行われ得ることは明らかである。基地局は、固定局（ｆｉｘｅｄ ｓｔａｔｉｏｎ）、ＮｏｄｅＢ、ｅＮｏｄｅＢ（ｅＮＢ）、アクセスポイント（ａｃｃｅｓｓ ｐｏｉｎｔ）などの用語にしてもよい。
【０１３４】
本発明に係る実施例は、様々な手段、例えば、ハードウェア、ファームウェア（ｆｉｒｍｗａｒｅ）、ソフトウェア又はそれらの結合などによって具現することができる。ハードウェアによる具現では、本発明の一実施例は、一つ又はそれ以上のＡＳＩＣｓ（ａｐｐｌｉｃａｔｉｏｎ ｓｐｅｃｉｆｉｃ ｉｎｔｅｇｒａｔｅｄ ｃｉｒｃｕｉｔｓ）、ＤＳＰｓ（ｄｉｇｉｔａｌ ｓｉｇｎａｌ ｐｒｏｃｅｓｓｏｒｓ）、ＤＳＰＤｓ（ｄｉｇｉｔａｌ ｓｉｇｎａｌ ｐｒｏｃｅｓｓｉｎｇ ｄｅｖｉｃｅｓ）、ＰＬＤｓ（ｐｒｏｇｒａｍｍａｂｌｅ ｌｏｇｉｃ ｄｅｖｉｃｅｓ）、ＦＰＧＡｓ（ｆｉｅｌｄ ｐｒｏｇｒａｍｍａｂｌｅ ｇａｔｅ ａｒｒａｙｓ）、プロセッサ、コントローラ、マイクロコントローラ、マイクロプロセッサなどによって具現することができる。
【０１３５】
ファームウェアやソフトウェアによる具現では、本発明の一実施例は、以上で説明された機能又は動作を実行するモジュール、手順、関数などの形態で具現されてもよい。ソフトウェアコードは、メモリユニットに記憶され、プロセッサによって駆動可能である。
【０１３６】
メモリユニットは、プロセッサの内部又は外部に設けられ、公知の様々な手段によってプロセッサとデータをやり取りすることができる。
【０１３７】
本発明は、本発明の特徴から逸脱しない範囲で別の特定の形態に具体化できるということが当業者にとっては自明である。したがって、上記の詳細な説明は、いずれの面においても制限的に解釈してはならず、例示的なものとして考慮しなければならない。本発明の範囲は、添付の請求項の合理的な解釈によって決定すべきであり、本発明の等価的範囲内における変更はいずれも本発明の範囲に含まれる
【産業上の利用可能性】
【０１３８】
以上のような無線通信システムにおいて、リソースバンドルに基づくプリコーダの適用方法及びそのための装置は、３ＧＰＰ ＬＴＥシステムに適用される例を中心として説明したが、３ＧＰＰ ＬＴＥシステム以外にも様々な無線通信システムに適用することができる。
【図１】
0006898997.tif 000022
【図２】
0006898997.tif 000023
【図３】
0006898997.tif 000024
【図４】
0006898997.tif 000025
【図５】
0006898997.tif 000026
【図６】
0006898997.tif 000027
【図７】
0006898997.tif 000028
【図８】
0006898997.tif 000029
【図９】
0006898997.tif 000030